(57)【特許請求の範囲】
【請求項１】
導電性金属を含む、空洞のある円筒形状の印刷用シリンダの内面に取り付けられ、前記シリンダの空洞に挿入されるリーダライタのアンテナと非接触で通信可能な、非接触式データキャリアであって、
当該非接触式データキャリアは、細長い短冊状の形状をしており、当該非接触式データキャリアの長辺が前記シリンダの内周方向に一致し、前記長手方向と直交する短辺が前記内周方向と直交する長手方向に一致して、前記シリンダの内面に取り付けられており、
当該非接触式データキャリアは、
前記シリンダの内面の内周方向に沿って固定された、絶縁層と、
前記絶縁層に形成された絶縁基材と、
前記絶縁基材の表面に、周回する線パターンとして形成された、細長い短冊状のアンテナコイルと、
前記アンテナコイルと共振回路を構成するコンデンサと、前記シリンダに関する情報を記憶しているメモリと、マイクロコンピュータとを有し、前記絶縁基材に形成された、ＩＣチップと、
を有し、
前記アンテナコイルと前記シリンダの空洞に挿入される前記リーダライタのアンテナとの通信距離を長くし、鎖交磁束の打ち消し合いを防止し、前記シリンダの空洞に挿入される前記リーダライタのアンテナを前記非接触式データキャリアに接近させたとき前記シリンダの内周方向に沿った場所で前記アンテナコイルを介して前記非接触式データキャリアとアクセス可能とするため、前記アンテナコイルの前記シリンダの内周方向の長さが前記シリンダの長手方向の長さより長く形成して当該アンテナコイルが囲む領域の面積を大きくし、前記周回する線パターンのアンテナコイルのうち前記シリンダの内周方向における長さは、前記シリンダの内周方向の全長の半分よりも長く、前記内周方向の全長よりも短く形成し、
前記絶縁層の厚さは、導電性金属を含む前記シリンダの内面と前記アンテナコイルとを磁気的に隔離し導電性金属を含む前記シリンダの磁界への影響を低減し、前記リーダライタのアンテナとの通信距離を確保する、厚さである、
非接触式データキャリア。
【請求項２】
前記絶縁層の断面形状は、両端部が傾斜し、前記印刷用シリンダの内面に接する底辺が長く、当該底辺と対向する上辺が短い、台形またはほぼ台形の形状をしており、
前記絶縁層の前記上辺の面に、前記絶縁基材が形成されており、
前記絶縁層と前記絶縁基材とは、前記印刷用シリンダの内面に沿って固定可能に可撓性材料で構成されている、
請求項１に記載の非接触式データキャリア。
【請求項３】
前記絶縁基材は、前記シリンダの内周に沿った方向の長さが長く、前記シリンダの軸方向の長さが短い、短冊形または略短冊形の形状を有し、
前記絶縁基材の前記シリンダの内周方向における長さは、前記シリンダの内周の全長の半分よりも長く、前記内周の全長よりも短く、
前記アンテナコイルは、前記絶縁基材の周縁に沿って形成されている、
請求項１または２に記載の非接触式データキャリア。
【請求項４】
当該非接触式データキャリアは、前記絶縁基材上の前記アンテナコイルおよび前記ＩＣチップを被覆する、絶縁性の保護層をさらに有する、
請求項３に記載の非接触式データキャリア。
【請求項５】
導電性金属を含む、空洞のある円筒形状の印刷用シリンダと、
前記シリンダの内面に取り付けられ、前記シリンダの空洞に挿入されるリーダライタのアンテナと非接触で通信可能な、非接触式データキャリアと
を有する、シリンダ装置であって、
当該非接触式データキャリアは、細長い短冊状の形状をしており、当該非接触式データキャリアの長辺が前記シリンダの内周方向に一致し、前記長手方向と直交する短辺が前記内周方向と直交する長手方向に一致して、前記シリンダの内面に取り付けられており、
当該非接触式データキャリアは、
前記シリンダの内面の内周方向に沿って固定された、絶縁層と、
前記絶縁層に形成された絶縁基材と、
前記絶縁基材の表面に、周回する線パターンとして形成された、細長い短冊状のアンテナコイルと、
前記アンテナコイルと共振回路を構成するコンデンサと、前記シリンダに関する情報を記憶しているメモリと、マイクロコンピュータとを有し、前記絶縁基材に形成された、ＩＣチップと、
を有し、
前記アンテナコイルと前記シリンダの空洞に挿入される前記リーダライタのアンテナとの通信距離を長くし、鎖交磁束の打ち消し合いを防止し、前記シリンダの空洞に挿入される前記リーダライタのアンテナを前記非接触式データキャリアに接近させたとき前記シリンダの内周方向に沿った場所で前記アンテナコイルを介して前記非接触式データキャリアとアクセス可能とするため、前記アンテナコイルの前記シリンダの内周方向の長さが前記シリンダの長手方向の長さより長く形成して当該アンテナコイルが囲む領域の面積を大きくし、前記周回する線パターンのアンテナコイルのうち前記シリンダの内周方向における長さは、前記シリンダの内周方向の全長の半分よりも長く、前記内周方向の全長よりも短く形成し、
前記絶縁層の厚さは、導電性金属を含む前記シリンダの内面と前記アンテナコイルとを磁気的に隔離し導電性金属を含む前記シリンダの磁界への影響を低減し、前記リーダライタのアンテナとの通信距離を確保する、厚さである、
シリンダ装置。
【請求項６】
前記絶縁基材は、前記シリンダの内周に沿った方向の長さが長く、前記シリンダの軸方向の長さが短い、短冊形または略短冊形の形状を有し、
前記絶縁基材の前記シリンダの内周方向における長さは、前記シリンダの内周の全長の半分よりも長く、前記内周の全長よりも短く、
前記アンテナコイルは、前記絶縁基材の周縁に沿って形成されている、
請求項５に記載のシリンダ装置。
【請求項７】
当該非接触式データキャリアは、前記絶縁基材上の前記アンテナコイルおよび前記ＩＣチップを被覆する、絶縁性の保護層をさらに有する、
請求項５または６に記載のシリンダ装置。
【請求項８】
前記絶縁基材のうち前記アンテナコイルの形成面が内側になるように、前記非接触式データキャリアが前記シリンダの内面に取り付けてある、
請求項５〜７のいずれかに記載のシリンダ装置。
【発明の詳細な説明】
【０００１】
【発明の属する技術分野】
本発明は、シリンダの内面に非接触式データキャリアが取り付けられたシリンダ装置と、このシリンダ装置に使用可能な非接触式データキャリアとに関する。
【０００２】
【従来の技術】
輪転印刷機では、シリンダを用いてグラビア印刷を行うことがある。
シリンダは、例えば、鋼鉄の円筒の外面に銅メッキをした構造を有する。一般的には、ポジフィルムを焼き付けたカーボン・ティッシュを転写して腐食製版を行う。
【０００３】
グラビア印刷用に種々のシリンダを製造した場合、シリンダおよびシリンダの情報の管理が必要である。シリンダの情報としては、例えば、シリンダの印刷内容の情報、シリンダに使用するインクおよび印刷用紙の情報等がある。
【０００４】
【発明が解決しようとする課題】
図５は、非接触式データキャリアを取り付けたシリンダ装置を例示する説明図である。
このシリンダ装置２０は、シリンダ１５と、非接触式データキャリア１１とを有する。
シリンダ１５の外面１５Ｚは、印刷内容に対応する銅メッキが施されており、内面１５Ｉには、非接触式データキャリア１１が取り付けてある。非接触式データキャリア１１内のＩＣチップは、シリンダ１５の情報を記憶する。
【０００５】
リーダライタのアンテナをシリンダ１５の空洞に挿入して非接触式データキャリア１１との通信を行うことで、非接触式データキャリア１１内のＩＣチップにアクセスし、シリンダ１５の情報を得ることが可能である。
しかし、非接触式データキャリア１１の通信距離が小さい場合、リーダライタのアンテナを非接触式データキャリア１１にかなり接近させる必要があり、通信に手間がかかる。
【０００６】
本発明の目的は、シリンダ内面に取り付けられる非接触式データキャリアの通信距離を拡大可能なシリンダ装置と、当該シリンダ装置に使用可能な非接触式データキャリアとを提供することにある。
【０００７】
【課題を解決するための手段】
本発明によれば、導電性金属を含む、空洞のある円筒形状の印刷用シリンダの内面に取り付けられ、前記シリンダの空洞に挿入されるリーダライタのアンテナと非接触で通信可能な、非接触式データキャリアであって、
当該非接触式データキャリアは、細長い短冊状の形状をしており、当該非接触式データキャリアの長辺が前記シリンダの内周方向に一致し、前記長手方向と直交する短辺が前記内周方向と直交する長手方向に一致して、前記シリンダの内面に取り付けられており、
当該非接触式データキャリアは、
前記シリンダの内面の内周方向に沿って固定された、絶縁層と、
前記絶縁層に形成された絶縁基材と、
前記絶縁基材の表面に、周回する線パターンとして形成された、細長い短冊状のアンテナコイルと、
前記アンテナコイルと共振回路を構成するコンデンサと、前記シリンダに関する情報を記憶しているメモリと、マイクロコンピュータとを有し、前記絶縁基材に形成された、ＩＣチップと、
を有し、
前記アンテナコイルと前記シリンダの空洞に挿入される前記リーダライタのアンテナとの通信距離を長くし、鎖交磁束の打ち消し合いを防止し、前記シリンダの空洞に挿入される前記リーダライタのアンテナを前記非接触式データキャリアに接近させたとき前記シリンダの内周方向に沿った場所で前記アンテナコイルを介して前記非接触式データキャリアとアクセス可能とするため、前記アンテナコイルの前記シリンダの内周方向の長さが前記シリンダの長手方向の長さより長く形成して当該アンテナコイルが囲む領域の面積を大きくし、前記周回する線パターンのアンテナコイルのうち前記シリンダの内周方向における長さは、前記シリンダの内周方向の全長の半分よりも長く、前記内周方向の全長よりも短く形成し、
前記絶縁層の厚さは、導電性金属を含む前記シリンダの内面と前記アンテナコイルとを磁気的に隔離し導電性金属を含む前記シリンダの磁界への影響を低減し、前記リーダライタのアンテナとの通信距離を確保する、厚さである、
非接触式データキャリアが提供される。
【０００９】
また好ましくは、前記絶縁層の断面形状は、両端部が傾斜し、前記印刷用シリンダの内面に接する底辺が長く、当該底辺と対向する上辺が短い、台形またはほぼ台形の形状をしており、前記絶縁層の前記上辺の面に、前記絶縁基材が形成されており、前記絶縁層と前記絶縁基材とは、前記印刷用シリンダの内面に沿って固定可能に可撓性材料で構成されている。
【００１０】
また好ましくは、前記絶縁基材は、前記シリンダの内周に沿った方向の長さが長く、前記シリンダの軸方向の長さが短い、短冊形または略短冊形の形状を有し、前記絶縁基材の前記シリンダの内周方向における長さは、前記シリンダの内周の全長の半分よりも長く、前記内周の全長よりも短く、前記アンテナコイルは、前記絶縁基材の周縁に沿って形成されている。
【００１１】
さらに好ましくは、当該非接触式データキャリアは、前記絶縁基材上の前記アンテナコイルおよび前記ＩＣチップを被覆する、絶縁性の保護層をさらに有する。
【００１２】
本発明によれば、導電性金属を含む、空洞のある円筒形状の印刷用シリンダと、前記シリンダの内面に取り付けられ、前記シリンダの空洞に挿入されるリーダライタのアンテナと非接触で通信可能な、非接触式データキャリアとを有する、シリンダ装置であって、
当該非接触式データキャリアは、細長い短冊状の形状をしており、当該非接触式データキャリアの長辺が前記シリンダの内周方向に一致し、前記長手方向と直交する短辺が前記内周方向と直交する長手方向に一致して、前記シリンダの内面に取り付けられており、
当該非接触式データキャリアは、
前記シリンダの内面の内周方向に沿って固定された、絶縁層と、
前記絶縁層に形成された絶縁基材と、
前記絶縁基材の表面に、周回する線パターンとして形成された、細長い短冊状のアンテナコイルと、
前記アンテナコイルと共振回路を構成するコンデンサと、前記シリンダに関する情報を記憶しているメモリと、マイクロコンピュータとを有し、前記絶縁基材に形成された、ＩＣチップと、
を有し、
前記アンテナコイルと前記シリンダの空洞に挿入される前記リーダライタのアンテナとの通信距離を長くし、鎖交磁束の打ち消し合いを防止し、前記シリンダの空洞に挿入される前記リーダライタのアンテナを前記非接触式データキャリアに接近させたとき前記シリンダの内周方向に沿った場所で前記アンテナコイルを介して前記非接触式データキャリアとアクセス可能とするため、前記アンテナコイルの前記シリンダの内周方向の長さが前記シリンダの長手方向の長さより長く形成して当該アンテナコイルが囲む領域の面積を大きくし、前記周回する線パターンのアンテナコイルのうち前記シリンダの内周方向における長さは、前記シリンダの内周方向の全長の半分よりも長く、前記内周方向の全長よりも短く形成し、
前記絶縁層の厚さは、導電性金属を含む前記シリンダの内面と前記アンテナコイルとを磁気的に隔離し導電性金属を含む前記シリンダの磁界への影響を低減し、前記リーダライタのアンテナとの通信距離を確保する、厚さである、
シリンダ装置が提供される。
【００１４】
また好ましくは、前記絶縁基材は、前記シリンダの内周に沿った方向の長さが長く、前記シリンダの軸方向の長さが短い、短冊形または略短冊形の形状を有し、前記絶縁基材の前記シリンダの内周方向における長さは、前記シリンダの内周の全長の半分よりも長く、前記内周の全長よりも短く、前記アンテナコイルは、前記絶縁基材の周縁に沿って形成されている。
【００１５】
さらに好ましくは、前記非接触式データキャリアは、前記シリンダの内面の中央部または略中央部に取り付けてある。
【００１６】
好ましくは、当該非接触式データキャリアは、前記絶縁基材上の前記アンテナコイルおよび前記ＩＣチップを被覆する、絶縁性の保護層をさらに有する。
【００１７】
好ましくは、前記絶縁基材のうち前記アンテナコイルの形成面が内側になるように、前記非接触式データキャリアが前記シリンダの内面に取り付けてある。
【００１８】
アンテナコイルのうちシリンダの内周方向の長さは、シリンダの内周の長さの半分よりも大きく、内周の長さよりも小さいので、アンテナコイルの内周方向の長さが内周の長さの半分以下の場合に比べて通信距離を拡大可能である。
また、アンテナコイルの内周方向の長さをシリンダの内周の長さ未満とすることで、アンテナコイルと内周を周回してきたアンテナコイルとの鎖交磁束の打消し合いを防止可能である。
【００１９】
【発明の実施の形態】
以下、本発明の実施の形態を、添付図面を参照して説明する。
【００２０】
図１は、本発明に係るシリンダ装置を示す概略的な説明図である。
このシリンダ装置１０は、印刷用のシリンダ１５と、非接触式データキャリア１とを有する。
シリンダ１５は、鋼鉄等の金属の円筒であり、シリンダ１５の外面１５Ｚには、印刷内容に対応する銅メッキが施されている。シリンダ１５の内面１５Ｉには、非接触式データキャリア１が絶縁層１２を介して取り付けてある。
【００２１】
非接触式データキャリア１は、細長い短冊状または略短冊状の形状を有し、その長手方向はシリンダ１５の内周（即ち、シリンダ１５の回転軸に対して垂直な平面とシリンダ１５の内面１５Ｉとが交わる曲線）に沿って形成されている。
長手方向をシリンダ１５の内周に沿った方向（内周方向）とすることで、シリンダ１５の回転時に非接触式データキャリア１を遠心力によりシリンダ１５の内面１５Ｉに押しつけることができ、非接触式データキャリア１を内面１５Ｉに密着させることが可能である。
【００２２】
また、非接触式データキャリア１は、シリンダ１５の内面の中央部または略中央部に取り付けてある。
このように非接触式データキャリア１を取り付けることで、シリンダ１５の開口部の両方から非接触式データキャリア１までの距離を同じまたは略同じにすることができる。
すなわち、リーダライタのアンテナを空洞に挿入する場合に、何れの開口部からアンテナを挿入しても、挿入の長さが同じときは、アンテナから非接触式データキャリア１までの距離を同じまたは略同じにすることができる利点がある。
【００２３】
図２は、図１のシリンダ装置１０を、シリンダ１５の回転軸を通るように切断した場合における、シリンダ１５および非接触式データキャリア１の概略的な断面図である。
【００２４】
絶縁層１２の断面形状は、台形または略台形となっており、長辺側がシリンダ１５の内面１５Ｉに接しており、当該長辺に対向する短辺側に非接触式データキャリア１が接着されている。
絶縁層１２の厚さは、一定または略一定であり、一例として約５ｍｍとする。
この絶縁層１２により、非接触式データキャリア１を、導体であるシリンダ１５の内面１５Ｉから浮かせることができ、シリンダ１５の空洞における非接触式データキャリア１の通信距離を拡大可能である。
なお、絶縁層１２の可撓性を利用して、非接触式データキャリア１が接着された絶縁基材１２をシリンダ１５内にはめ込むようにして、非接触式データキャリア１をシリンダ１５の内面１５Ｉに取り付けてもよい。
【００２５】
また、絶縁層１２の断面形状を台形または略台形とすることで、リーダライタのアンテナをシリンダ１５の空洞に挿入した場合に、アンテナの先端と絶縁層１２とが衝突することを絶縁層１２の斜面を利用して防止することができる。さらに、絶縁層１２に接触した時のアンテナの先端位置から非接触式データキャリア１の位置を検出可能である。
【００２６】
非接触式データキャリア１は、絶縁基材９の表面９Ａにアンテナコイル５が形成されており、アンテナコイル５を覆うように絶縁性の保護層７が積層されており、絶縁層１２を介してシリンダ１５の内面１５Ｉに接着されている。
この非接触式データキャリア１は、絶縁基材９のうちアンテナコイル５の形成面９Ａが内側になるように、シリンダ１５の内面１５Ｉに取り付けてある。なお、非接触式データキャリア１は、シリンダ１５の内面１５Ｉのうち、一定または略一定の曲率を有する領域に取り付けてもよい。
【００２７】
図３は、図１のシリンダ装置１０で使用される非接触式データキャリア１を示す概略的な構成図である。
この非接触式データキャリア１は、絶縁基材９と、パッド２Ａ，２Ｂ，３Ａと、アンテナコイル５と、導体パターン４と、ＩＣチップ８とを有する。
【００２８】
絶縁基材９は、可撓性を有しており、例えば、約５μｍ〜約３００μｍの一定または略一定の厚さの、ポリエステル、ポリエチレン、ポリプロピレン、ポリスチレン、ＰＥＴ（ポリエチレンテレフタラート）等の合成樹脂からなる。絶縁基材９は、好ましくは、約１５μｍ〜約１００μｍのポリエステルまたはポリエチレンとする。
絶縁基材９は、細長い短冊形または略短冊形の形状を有し、絶縁基材９の長手方向の長さＬ９は、シリンダ１５の内周の長さの半分よりも大きく、前記内周の長さよりも小さい。
【００２９】
絶縁基材９の一方の面９Ａには、アンテナコイル５と、パッド２Ａ，２Ｂ，３Ａと、導体パターン４とが形成されている。
絶縁基材９の他方の面には、導体パターン４が形成されており、導体パターン４とパッド２Ｂ，３Ａは絶縁基材９を介して対向している。導体パターン４とパッド２Ｂ，３Ａは、スルーホールを介して接続されている。
【００３０】
アンテナコイル５は、絶縁基材９の一方の面９Ａに形成された周回する線パターン６からなり、絶縁基材９の周縁に沿って形成されている。
アンテナコイル５の最内周の線パターン６Ｉは、パッド２Ａに接続されている。アンテナコイル５の最外周の線パターン６Ｚは、パッド２Ｂに接続されている。
【００３１】
アンテナコイル５の長手方向の長さＬ５は、シリンダ１５の内周の長さの半分よりも大きく、前記内周の長さよりも小さい。
このように、長さＬ５を、内周の長さの半分よりも大きくすることで、シリンダ１５の空洞に細長い形状のアンテナを挿入した場合に、シリンダ１５の回転軸からアンテナを上下方向または左右方向に動かして内周１５Ｉに接触または略接触させることで、接触箇所と非接触式データキャリア１との距離を短くすることができ、アンテナと非接触式データキャリア１とを接近させることができる。
【００３２】
アンテナコイル５の長手方向の長さＬ５は、前記内周の長さに近いほうが望ましい。長さＬ５を大きくすることで、アンテナコイル５が囲む領域の面積を大きくすることができ、非接触式データキャリア１の通信距離を拡大可能である。
【００３３】
パッド２Ａからパッド２Ｂまでのアンテナコイル５の線パターン６の巻数は、５である。アンテナコイル５は、例えば、約５μｍ〜約５０μｍの一定または略一定の厚さの銅箔、鉄箔、アルミニウム箔等とし、好ましくはアルミニウム箔とする。
【００３４】
ＩＣチップ８は、シリンダ１５の情報を記憶する内部メモリと、パターン形成されたコンデンサとを有し、このコンデンサおよびアンテナコイル５は、共振回路を構成している。当該共振回路の共振周波数は、非接触式データキャリア１が送受信する信号の周波数と同一または略同一である。
なお、ＩＣチップ８は、例えば１チップマイクロコンピュータ（１チップマイコン）により構成してもよい。
【００３５】
絶縁基材９の一方の面９Ａの全域には、パッド２Ａ，２Ｂ，３Ａと、アンテナコイル５と、ＩＣチップ８とを覆うように、可撓性および絶縁性を有する不図示の保護層（図２中の保護層７）が形成されている。なお、絶縁基材９の他方の面の全域に、導体パターン４を覆うように、可撓性および絶縁性を有する保護層を形成してもよい。保護層は、例えば、絶縁基材９と同一の材料で構成してもよい。
【００３６】
図４は、図３の非接触式データキャリア１のうち、ＩＣチップ８およびその周辺を示す概略的な説明図である。なお、ＩＣチップ８は、パッド２Ａ，３Ａ等の状態が判るように、図中では四角形の枠で示している。
【００３７】
パッド２Ｂ，３Ａと導体パターン４は、絶縁基材４を介して対向している。
パッド２Ｂと導体パターン４は、スルーホール２Ｈを介して接続されており、パッド３Ａと導体パターン４は、スルーホール３Ｈを介して接続されている。
【００３８】
ＩＣチップ８の回路形成面には、一方の電極端子と他方の電極端子からなる端子対が形成されており、一方の電極端子はパッド２Ａに対応し、他方の電極端子はパッド３Ａに対応している。
ＩＣチップ８の端子対は、バンプを介してパッド２Ａ，３Ａに接続されており、このＩＣチップ８はフリップチップ実装されている。
【００３９】
非接触式データキャリア１では、アンテナコイル５と、線パターン６と、パッド２Ｂとを絶縁性のレジスト材料による絶縁膜（絶縁層）で覆い、パッド２Ａ，３Ａを露出させてＩＣチップ８を接続してもよく、さらにはパッド２Ａ，３Ａのうち、ＩＣチップ８との接続部分のみを露出させ、他の部分を絶縁膜で覆うようにしてもよい。
【００４０】
なお、上記実施の形態は本発明の例示であり、本発明は上記実施の形態に限定されない。
【００４１】
【発明の効果】
以上に説明したように、本発明によれば、シリンダ内面に取り付けられる非接触式データキャリアの通信距離を拡大可能なシリンダ装置と、当該シリンダ装置に使用可能な非接触式データキャリアとを提供することができる。
【図面の簡単な説明】
【図１】本発明に係るシリンダ装置を示す概略的な説明図である。
【図２】図１のシリンダ装置を切断した場合における、シリンダおよび非接触式データキャリアの概略的な断面図である。
【図３】図１のシリンダ装置で使用される非接触式データキャリアを示す概略的な構成図である。
【図４】図３の非接触式データキャリアのうち、ＩＣチップおよびその周辺を示す概略的な説明図である。
【図５】本発明に対比されるシリンダ装置を例示する説明図である。
【符号の説明】
１，１１…非接触式データキャリア、２Ａ，２Ｂ，３Ａ…パッド、２Ｈ，３Ｈ…スルーホール、４…導体パターン、５…アンテナコイル、６…線パターン、６Ｉ…最内周の線パターン、６Ｚ…最内周の線パターン、７…保護層、８…ＩＣチップ、９…絶縁基材、９Ａ…絶縁基材９の一方の面、１０，２０…シリンダ装置、１２…絶縁層、１５…シリンダ、１５Ｉ…内面、１５Ｚ…外面。
【図１】
0004721203.tif 000002
【図２】
0004721203.tif 000003
【図３】
0004721203.tif 000004
【図４】
0004721203.tif 000005
【図５】
0004721203.tif 000006